(57)【要約】【課題】占有容積を減少させることができる遮蔽装置および冷蔵庫を提供する。【解決手段】本発明の遮蔽装置７０は、冷蔵庫１０の内部で冷気が送風される風路を適宜塞ぐ装置である。具体的には、遮蔽装置７０は、送風モータで回転する送風機４７を半径方向外側から囲む複数の回動遮蔽壁７１と、回動遮蔽壁７１の開閉動作を駆動する遮蔽壁駆動機構６０と、を具備する。更に、遮蔽装置７０は、複数の遮蔽壁駆動機構６０を有することで、回動遮蔽壁７１の開閉動作の自由度を向上している。【選択図】図５
2020193731.tif 000002
【特許請求の範囲】
【請求項１】
冷蔵庫の内部で冷気が送風される風路を塞ぐ遮蔽装置であって、
送風機を半径方向外側から囲む複数の回動遮蔽壁と、
前記回動遮蔽壁を駆動する遮蔽壁駆動機構と、を具備し、
前記遮蔽壁駆動機構は、複数設けられることを特徴とする遮蔽装置。
【請求項２】
前記遮蔽壁駆動機構は、各々の前記回動遮蔽壁毎に配設されることを特徴とする請求項１に記載の遮蔽装置。
【請求項３】
前記遮蔽壁駆動機構は、
前記回動遮蔽壁と回動可能に接続されたカムと、
前記カムをスライド移動させる溝が形成されて回転する回転プレートと、
前記回転プレートを回転させる駆動モータと、を有することを特徴とする請求項１または請求項２に記載の遮蔽装置。
【請求項４】
前記遮蔽壁駆動機構は、
前記回動遮蔽壁と回動可能に接続されたカムと、
前記カムを移動させるソレノイドと、を有することを特徴とする請求項１または請求項２に記載の遮蔽装置。
【請求項５】
貯蔵室に前記風路を経由して供給される空気を冷却する冷凍サイクルの冷却器と、
前記冷却器が配設されて前記貯蔵室につながる送風口が形成される冷却室と、
前記送風口から供給される前記空気を前記貯蔵室に向けて送風する前記送風機と、
前記風路を少なくとも部分的に塞ぐ、請求項１から請求項４の何れかに記載された前記遮蔽装置と、を具備することを特徴とする冷蔵庫。
【発明の詳細な説明】
【技術分野】
【０００１】
本発明は、遮蔽装置およびそれを備えた冷蔵庫に関し、特に、冷却室から貯蔵室につながる風路を適宜塞ぐ遮蔽装置およびそれを備えた冷蔵庫に関する。
【背景技術】
【０００２】
従来から、特許文献１に記載されたような、一つの冷却器で複数の貯蔵室を適宜冷却する冷蔵庫が知られている。
【０００３】
図２８に、この文献に記載された冷蔵庫１００を模式的に示す。この図に示す冷蔵庫１００には、上方から、冷蔵室１０１、冷凍室１０２および野菜室１０３が形成されている。冷凍室１０２の奥側には、冷却器１０８が収納される冷却室１０４が形成されており、冷却室１０４と冷凍室１０２とを区画する区画壁１０５には、冷気を各貯蔵室に供給するための開口部１０６が形成されている。また、この開口部１０６には、冷気を送風する送風ファン１０７が配設されており、この送風ファン１０７を覆う送風機カバー１１０が冷凍室１０２側に配置されている。冷蔵室１０１に供給される冷気が流通する風路１０９の途中には、ダンパ１１４が配設されている。
【０００４】
図２９を参照して、上記した送風機カバー１１０を詳述する。送風機カバー１１０は、略四角形形状を呈する凹部１１１が形成されており、凹部１１１の上部を部分的に切り欠いて開口部１１３が形成されている。ここで、送風機カバー１１０が、上記した送風ファン１０７を覆う状況では、送風機カバー１１０の開口部１１３は、冷蔵庫本体側の風路１０９と連通している。
【０００５】
上記した構成の冷蔵庫１００は次のように動作する。先ず、冷蔵室１０１および冷凍室１０２の両方を冷却する場合は、送風機カバー１１０を送風ファン１０７から離間させ、ダンパ１１４を開き、この状態で送風ファン１０７を回転させる。そうすると、冷却室１０４の内部で冷却器１０８により冷却された冷気の一部は、送風ファン１０７の送風力で、冷凍室１０２に送風される。また、この冷気の他の一部は、風路１０９、ダンパ１１４および風路１０９を経由して、冷蔵室１０１に送風される。これより、冷凍室１０２と冷蔵室１０１の両方が冷却される。
【０００６】
一方、冷蔵室１０１のみを冷却する際には、送風ファン１０７を送風機カバー１１０で覆い、ダンパ１１４を開き、この状態にて冷却器１０８で冷却された冷気を送風ファン１０７で送風する。送風機カバー１１０を閉鎖状態にすると、送風機カバー１１０の上部に形成された開口部１１３が、風路１０９と連通するようになる。よって、送風ファン１０７で送風された冷気は、上記した開口部１１３、ダンパ１１４、風路１０９を経由して、冷蔵室１０１に供給される。
【０００７】
上記のように、開口部１１３が形成された送風機カバー１１０を用いることで、一つの冷却器１０８で、複数の貯蔵室を適宜冷却することが可能となった。
【先行技術文献】
【特許文献】
【０００８】
【特許文献１】特開２０１３−２６６４号公報
【発明の概要】
【発明が解決しようとする課題】
【０００９】
しかしながら、上記した構成の送風機カバー１１０は、後方に移動することで冷却室１０４の開口部１０６を塞ぎ、前方に移動することで冷却室１０４の開口部１０６を解放する。また、送風機カバー１１０を前後方向に移動させるための駆動機構が必要になる。
【００１０】
更に、送風機カバー１１０は、開閉動作を前後方向に沿って行うための空間を必要とする。よって、冷蔵庫１００の内部に於いて、送風機カバー１１０が開閉動作を行うために大きな空間が必要とされる。この結果、送風機カバー１１０の前方に形成される冷凍室１０２の庫内容積が圧迫されてしまい、冷凍室１０２に収納することができる被貯蔵物の量が制限されてしまう課題があった。更には、モータで送風機カバー１１０を前後方向に移動させる際に駆動音が発生し、この駆動音が大きいと使用者にとって不快である恐れがあった。
【００１１】
本発明は、上記の事情に鑑みてなされたものであり、その目的とするところは、庫内容積を圧迫せず、駆動音が小さい遮蔽装置およびそれを備えた冷蔵庫を提供することにある。
【課題を解決するための手段】
【００１２】
本発明は、冷蔵庫の内部で冷気が送風される風路を塞ぐ遮蔽装置であって、送風機を半径方向外側から囲む複数の回動遮蔽壁と、前記回動遮蔽壁を駆動する遮蔽壁駆動機構と、を具備し、前記遮蔽壁駆動機構は、複数設けられることを特徴とする。
【００１３】
また、本発明の遮蔽装置では、前記遮蔽壁駆動機構は、各々の前記回動遮蔽壁毎に配設されることを特徴とする。
【００１４】
また、本発明の遮蔽装置では、前記遮蔽壁駆動機構は、前記回動遮蔽壁と回動可能に接続されたカムと、前記カムをスライド移動させる溝が形成されて回転する回転プレートと、前記回転プレートを回転させる駆動モータと、を有することを特徴とする。
【００１５】
また、本発明の遮蔽装置では、前記遮蔽壁駆動機構は、前記回動遮蔽壁と回動可能に接続されたカムと、前記カムを移動させるソレノイドと、を有することを特徴とする。
【００１６】
本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ前記遮蔽装置と、を具備することを特徴とする。
【発明の効果】
【００１７】
本発明は、冷蔵庫の内部で冷気が送風される風路を塞ぐ遮蔽装置であって、送風機を半径方向外側から囲む複数の回動遮蔽壁と、前記回動遮蔽壁を駆動する遮蔽壁駆動機構と、を具備し、前記遮蔽壁駆動機構は、複数設けられることを特徴とする。これにより、本発明の遮蔽装置によれば、複数の遮蔽壁駆動機構を有することで、回動遮蔽壁を個別に動作させることができ、回動遮蔽壁全体としての開閉動作の自由度を向上することができる。
【００１８】
また、本発明の遮蔽装置では、前記遮蔽壁駆動機構は、各々の前記回動遮蔽壁毎に配設されることを特徴とする。これにより、本発明の遮蔽装置によれば、遮蔽壁駆動機構が各々の回動遮蔽壁に対応して配設されることで、回動遮蔽壁を個別に回動させることができ、回動遮蔽壁の開閉動作の自由度を更に高くすることができる。
【００１９】
また、本発明の遮蔽装置では、前記遮蔽壁駆動機構は、前記回動遮蔽壁と回動可能に接続されたカムと、前記カムをスライド移動させる溝が形成されて回転する回転プレートと、前記回転プレートを回転させる駆動モータと、を有することを特徴とする。これにより、本発明の遮蔽装置によれば、駆動モータを含む簡素な構成で回動遮蔽壁を開閉することが出来る。
【００２０】
また、本発明の遮蔽装置では、前記遮蔽壁駆動機構は、前記回動遮蔽壁と回動可能に接続されたカムと、前記カムを移動させるソレノイドと、を有することを特徴とする。これにより、本発明の遮蔽装置によれば、ソレノイドを含む簡素な構成で回動遮蔽壁を開閉することが出来る。
【００２１】
本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ前記遮蔽装置と、を具備することを特徴とする。これにより、本発明の冷蔵庫によれば、遮蔽装置の回動遮蔽壁が複数の遮蔽壁駆動機構で駆動されるので、貯蔵室に対する冷気の供給を細かく設定し、貯蔵室の庫内温度を精度良く制御することができる。
【図面の簡単な説明】
【００２２】
【図１】本発明の実施形態に係る冷蔵庫の外観を示す正面図である。
【図２】本発明の実施形態に係る冷蔵庫の内部構成を示す側方断面図である。
【図３】本発明の実施形態に係る冷蔵庫の冷却室付近の構造を示す拡大された側方断面図である。
【図４】本発明の実施形態に係る冷蔵庫で採用される遮蔽装置が組み付けられた状態を示す図であり、（Ａ）は斜視図であり、（Ｂ）は切断面線Ａ−Ａから見た断面図であり、（Ｃ）は風路構成を後方から見て示す図である。
【図５】本発明の実施形態に係る遮蔽装置を示す図であり、（Ａ）は分解斜視図であり、（Ｂ）は分解断面図である。
【図６】本発明の実施形態に係る遮蔽装置を示す図であり、（Ａ）は遮蔽装置を部分的に示す分解斜視図であり、（Ｂ）はカムを示す斜視図である。
【図７】本発明の実施形態に係る遮蔽装置を示す図であり、（Ａ）は遮蔽装置の回動遮蔽壁を後方から見て示す図であり、（Ｂ）は回転プレートの構成を後方から見て示す図である。
【図８】本発明の実施形態に係る遮蔽装置の全閉状態を示す図であり、（Ａ）は遮蔽装置を後方から見て示す図であり、（Ｂ）は（Ａ）の切断面線Ｂ−Ｂから見た遮蔽装置の断面図であり、（Ｃ）は回転プレート等を前方から見て示す図であり、（Ｄ）は（Ｂ）の部分拡大断面図である。
【図９】本発明の実施形態に係る遮蔽装置の全開状態を示す図であり、（Ａ）は遮蔽装置を後方から見て示す図であり、（Ｂ）は（Ａ）の切断面線Ｃ−Ｃから見た遮蔽装置の断面図であり、（Ｃ）は回転プレート等を前方から見て示す図であり、（Ｄ）は（Ｂ）の部分拡大断面図である。
【図１０】本発明の実施形態に係る遮蔽装置において、下段冷凍室のみに冷気を供給する状態を後方から見て示す図であり、（Ａ）は遮蔽装置を示す図であり、（Ｂ）は回転プレート等を示す図である。
【図１１】本発明の実施形態に係る遮蔽装置において、下段冷凍室のみに冷気を供給する際の風路の状況を後方から見て示す図である。
【図１２】本発明の実施形態に係る遮蔽装置において、冷凍室のみに冷気を供給する状態を後方から見て示す図であり、（Ａ）は遮蔽装置を示す図であり、（Ｂ）は回転プレート等を示す図である。
【図１３】本発明の実施形態に係る遮蔽装置において、冷凍室のみに冷気を供給する際の風路の状態を後方から見て示す図である。
【図１４】本発明の実施形態に係る遮蔽装置において、上段冷凍室のみに冷気を供給する状態を後方から見て示す図であり、（Ａ）は遮蔽装置を示す図であり、（Ｂ）は回転プレート等を示す図である。
【図１５】本発明の実施形態に係る遮蔽装置において、上段冷凍室全体のみに冷気を供給する際の風路の状態を後方から見て示す図である。
【図１６】本発明の実施形態に係る遮蔽装置において、冷気を供給しない状態を後方から見て示す図であり、（Ａ）は遮蔽装置を示す図であり、（Ｂ）は回転プレート等を示す図である。
【図１７】本発明の実施形態に係る遮蔽装置において、冷気を供給しない際の風路の状態を後方から見て示す図である。
【図１８】本発明の実施形態に係る遮蔽装置において、冷蔵室のみに冷気を供給する状態を後方から見て示す図であり、（Ａ）は遮蔽装置を示す図であり、（Ｂ）は回転プレート等を示す図である。
【図１９】本発明の実施形態に係る遮蔽装置において、冷蔵室のみに冷気を供給する際の風路の状態を後方から見て示す図である。
【図２０】本発明の実施形態に係る遮蔽装置において、上段冷凍室および冷蔵室に冷気を供給する状態を後方から見て示す図であり、（Ａ）は遮蔽装置を示す図であり、（Ｂ）は回転プレート等を示す図である。
【図２１】本発明の実施形態に係る遮蔽装置において、上段冷凍室および冷蔵室に冷気を供給する際の風路の状態を後方から見て示す図である。
【図２２】本発明の実施形態に係る遮蔽装置において、冷凍室全体および冷蔵室に冷気を供給する状態を後方から見て示す図であり、（Ａ）は遮蔽装置を示す図であり、（Ｂ）は回転プレート等を示す図である。
【図２３】本発明の実施形態に係る遮蔽装置において、冷凍室全体および冷蔵室に冷気を供給する際の風路の状態を後方から見て示す図である。
【図２４】本発明の他形態に係る遮蔽装置を示す図であり、（Ａ）は分解斜視図であり、（Ｂ）は遮蔽壁駆動機構を示す拡大断面図である。
【図２５】本発明の他形態に係る遮蔽装置の全閉状態を示す図であり、（Ａ）は遮蔽装置を後方から見て示す図であり、（Ｂ）は（Ａ）の切断面線Ｄ−Ｄから見た遮蔽装置の断面図であり、（Ｃ）は回転プレート等を後方から見て示す図であり、（Ｄ）は（Ｂ）の部分拡大断面図である。
【図２６】本発明の他形態に係る遮蔽装置の全開状態を示す図であり、（Ａ）は遮蔽装置を後方から見て示す図であり、（Ｂ）は（Ａ）の切断面線Ｅ−Ｅから見た遮蔽装置の断面図であり、（Ｃ）は回転プレート等を後方から見て示す図であり、（Ｄ）は（Ｂ）の部分拡大断面図である。
【図２７】本発明の更なる他形態に係る遮蔽装置を示す図である。
【図２８】背景技術に係る冷蔵庫を示す拡大断面図である。
【図２９】背景技術に係る冷蔵庫で採用される送風機カバーを示す斜視図である。
【発明を実施するための形態】
【００２３】
以下、本発明の実施形態に係る遮蔽装置７０および冷蔵庫１０を図面に基づき詳細に説明する。以下の説明では、同一の部材には原則的に同一の符号を付し、繰り返しの説明は省略する。更に以下の説明では、上下前後左右の各方向を適宜用いるが、左右とは冷蔵庫１０を後方から見た場合の左右を示している。更に、以下の説明において、回転方向を時計回りおよび反時計回りで表現するが、これらの回転方向は、冷蔵庫１０を背面面視した場合の方向を示している。また、以下の説明では、時計回りを順方向と称し、反時計回りを逆方向と称する場合もある。
【００２４】
図１は、本形態の冷蔵庫１０の概略構造を示す正面外観図である。図１に示すように、冷蔵庫１０は、本体としての断熱箱体１１を備え、この断熱箱体１１の内部に食品等を貯蔵する貯蔵室を形成している。この貯蔵室としては、最上段が冷蔵室１５、その下段が上段冷凍室１８、更にその下段が下段冷凍室１９、そして最下段が野菜室２０である。尚、上段冷凍室１８および下段冷凍室１９は、何れも冷凍温度域の貯蔵室であり、以下の説明ではこれらを冷凍室１７と総称する場合もある。ここで、上段冷凍室１８は、左右に分割され、一方側が製氷室として用いられても良い。
【００２５】
断熱箱体１１の前面は開口しており、前記各貯蔵室に対応した開口には、各々断熱扉２１等が開閉自在に設けられている。断熱扉２１は、冷蔵室１５の前面を左右方向に分割して塞ぐもので、断熱扉２１の幅方向における外側上下端部が断熱箱体１１に回転自在に取り付けられている。また、断熱扉２３，２４，２５は、各々収納容器と一体的に組み合わされ、冷蔵庫１０の前方に引出自在に、断熱箱体１１に支持されている。具体的には、断熱扉２３は上段冷凍室１８を閉鎖し、断熱扉２４は下段冷凍室１９を閉鎖し、断熱扉２５は野菜室２０を閉鎖する。
【００２６】
図２は、冷蔵庫１０の概略構造を示す側方断面図である。冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した各々の断熱扉２１等も、断熱箱体１１と同様の断熱構造を採用している。
【００２７】
冷蔵室１５と、その下段に位置する冷凍室１７とは、断熱仕切壁４２によって仕切られている。また、上段冷凍室１８と、その下段に設けられた下段冷凍室１９との間は、冷却された空気である冷気が流通自在に連通している。そして、冷凍室１７と野菜室２０との間は、断熱仕切壁４３によって区分けされている。
【００２８】
冷蔵室１５の背面には、合成樹脂製の仕切体６５で区画され、冷蔵室１５へと冷気を供給する供給風路としての冷蔵室供給風路２９が形成されている。冷蔵室供給風路２９には、冷蔵室１５に冷気を流す吹出口３３が形成されている。
【００２９】
冷凍室１７の奥側には、冷却器４５で冷却された冷気を冷凍室１７へと流す冷凍室供給風路３１が形成されている。冷凍室供給風路３１の更に奥側には、冷却室２６が形成されており、その内部には、庫内を循環する空気を冷却するための蒸発器である冷却器４５が配置されている。冷凍室供給風路３１は、前面カバー６７と仕切体６６とで前後方向から囲まれた空間である。
【００３０】
冷却器４５は、圧縮機４４、図示しない放熱器、図示しない膨張手段であるキャピラリーチューブに冷媒配管を介して接続されており、蒸気圧縮式の冷凍サイクル回路を構成するものである。
【００３１】
図３は、冷蔵庫１０の冷却室２６付近の構造を示す側方断面図である。冷却室２６は、断熱箱体１１の内部で、冷凍室供給風路３１の奥側に設けられている。冷却室２６と冷凍室１７との間は、合成樹脂製の仕切体６６によって仕切られている。
【００３２】
冷却室２６の前方に形成される冷凍室供給風路３１は、冷却室２６とその前方に組み付けられる合成樹脂製の前面カバー６７との間に形成された空間であり、冷却器４５で冷却された冷気を冷凍室１７に流す風路となる。前面カバー６７には、冷凍室１７に冷気を吹き出す開口である吹出口３４が形成されている。
【００３３】
下段冷凍室１９の下部背面には、冷凍室１７から冷却室２６へと空気を戻す戻り口３８が形成されている。そして、冷却室２６の下方には、この戻り口３８につながり、各貯蔵室からの帰還冷気を冷却室２６の内部へと吸入する、戻り口２８が形成されている。戻り口２８には、野菜室２０の戻り口３９（図２）および野菜室帰還風路３７を経由して帰還する冷気も流入する。
【００３４】
また、冷却器４５の下方には、冷却器４５に付着した霜を融かして除去する除霜手段として、除霜ヒータ４６が設けられている。除霜ヒータ４６は、電気抵抗加熱式のヒータである。
【００３５】
冷却室２６の上部には、各貯蔵室につながる開口である送風口２７が形成されている。送風口２７は、冷却器４５で冷却された冷気を流す開口であり、冷却室２６と、冷蔵室供給風路２９および冷凍室供給風路３１とを連通させる。送風口２７には、前方から、冷凍室１７等に向けて冷気を送り出す送風機４７が配設されている。また、ダンパの機能は後述する遮蔽装置７０の回動遮蔽壁７１が担っているので、ダンパを省くことが可能である。
【００３６】
冷却室２６の送風口２７の外側には、送風口２７からつながる風路を適宜塞ぐための遮蔽装置７０が設けられている。遮蔽装置７０は、前方から前面カバー６７で覆われている。
【００３７】
図４を参照して、上記した風路を規制する遮蔽装置７０が組み付けられる構成を説明する。図４（Ａ）は遮蔽装置７０が組み付けられた仕切体６６を示す斜視図であり、図４（Ｂ）は図４（Ａ）の切断面線Ａ−Ａに於ける断面図であり、図４（Ｃ）は前面カバー６７を後方から見た場合の風路構成を示す図である。
【００３８】
図４（Ａ）を参照して、仕切体６６には、上方部分において、厚み方向に貫通する円形の送風口２７が形成されており、送風口２７の前方には送風機４７および遮蔽装置７０が配設されている。ここでは、遮蔽装置７０は仕切体６６に隠れている。また、仕切体６６の上端側に形成された開口部位５９は、図３に示した冷蔵室供給風路２９に連通している。
【００３９】
図４（Ｂ）を参照して、上記したように、仕切体６６および前面カバー６７で囲まれる空間として冷凍室供給風路３１が形成されている。後述するように、冷凍室供給風路３１は、複数の風路に区分されている。また、仕切体６６と前面カバー６７との間には、遮蔽装置７０および遮蔽壁駆動機構６０が配設されている。遮蔽装置７０は送風機４７を遮蔽し、遮蔽壁駆動機構６０は遮蔽装置７０を駆動する。遮蔽装置７０および遮蔽壁駆動機構６０の構成は図５等を参照して後述する。
【００４０】
図４（Ｃ）を参照して、前面カバー６７の内部空間を仕切ることで複数の送風路が形成されている。具体的には、前面カバー６７の後側主面から後方に向かって延びるリブ状の風路区画壁５０，５６が形成されている。風路区画壁５０，５６の後端は、図４（Ｂ）に示した仕切体６６に当接している。
【００４１】
ここでは、冷気を送風する送風路は、上方から、冷蔵室供給風路５１、上段冷凍室供給風路５２、下段冷凍室供給風路５３に区画されている。冷蔵室供給風路５１は冷蔵室１５に送風される冷気が流通し、上段冷凍室供給風路５２は上段冷凍室１８に送風される冷気が流通し、下段冷凍室供給風路５３は下段冷凍室１９に送風される冷気が流通する。冷蔵室供給風路５１を流れる冷気は、開口部位５９を経由して、図２に示す冷蔵室１５に送風される。上段冷凍室供給風路５２を流れる冷気は、吹出口３４を介して、図２に示す上段冷凍室１８に送風される。下段冷凍室供給風路５３を流れる冷気は、吹出口３４を介して、図２に示す下段冷凍室１９に送風される。ここで、冷蔵室供給風路５１、上段冷凍室供給風路５２および下段冷凍室供給風路５３は、遮蔽装置７０を中心として周囲に広がるように形成されている。
【００４２】
冷蔵室供給風路５１と上段冷凍室供給風路５２とは、風路区画壁５０で区画されている。更に、上段冷凍室供給風路５２と下段冷凍室供給風路５３とは、風路区画壁５６で区画されている。
【００４３】
図５を参照して、遮蔽装置７０の構成を説明する。図５（Ａ）は遮蔽装置７０の分解斜視図であり、図５（Ｂ）は遮蔽装置７０の側方断面図である。
【００４４】
図５（Ａ）および図５（Ｂ）を参照して、遮蔽装置７０は、支持基体６３と、回動遮蔽壁７１と、遮蔽壁駆動機構６０と、を具備している。遮蔽装置７０は送風機４７で送風された冷気の風路を遮蔽する装置である。遮蔽装置７０を開状態とすることで冷却室２６と各貯蔵室とをつなぐ風路を連通させ、遮蔽装置７０を閉状態とすることで風路を遮断する。
【００４５】
送風機４７は、ビスなどの締結手段を介して、支持基体６３の中心部に配設されている。送風機４７は、ここでは図示しないが、例えば、ターボファンなどの遠心ファンと、この遠心ファンを回転させる送風モータとを具備しており、半径方向外側に向かって冷気を送風する。
【００４６】
支持基体６３は、一体成型された合成樹脂から成る部材である。支持基体６３の後面側には、各々の回動遮蔽壁７１が回動可能に配設されている。
【００４７】
支持基体６３の周辺部には、側壁部５８が形成されている。側壁部５８は、支持基体６３から後方に向かって伸びる部位である。側壁部５８は、支持基体６３の周方向に関して略等間隔に複数配置されている。側壁部５８は、回動遮蔽壁７１同士の間に配置されている。側壁部５８の後端は、ビス等の締結手段を介して、図４（Ｂ）に示した仕切体６６に締結されている。
【００４８】
回動遮蔽壁７１は、矩形状の合成樹脂からなる板状部材であり、送風機４７の外縁の接線に沿う長辺を有している。回動遮蔽壁７１は、支持基体６３の周縁部付近に、支持基体６３の主面に平行な軸線回りに、後方に向かって回動可能に取り付けられている。更に、回動遮蔽壁７１は、複数（本実施形態では５）が配設されている。回動遮蔽壁７１は、送風機４７で送風される冷気が流通する経路に配置され、風路を遮蔽する。
【００４９】
遮蔽壁駆動機構６０は、カム６１と、回転プレート７３と、回転プレート７３を回転させる駆動モータ７４と、を有する。ここでは、個々の回動遮蔽壁７１に遮蔽壁駆動機構６０が備えられている。即ち、５個の回動遮蔽壁７１に対して、５個の遮蔽壁駆動機構６０が配設されている。係る構成を採用することで、図示しない制御装置の指示に基づいて、各々の遮蔽壁駆動機構６０が回動遮蔽壁７１を回動させることで、回動遮蔽壁７１の回動パターンのバリエーションを制限なく実現することができる。遮蔽壁駆動機構６０の具体的な形状および機能は、後述する。
【００５０】
図６を参照して、上記した回動遮蔽壁７１を駆動する遮蔽壁駆動機構６０を説明する。図６（Ａ）は遮蔽壁駆動機構６０を示す分解斜視図であり、図６（Ｂ）はカム６１を示す斜視図である。
【００５１】
図６（Ａ）を参照して、遮蔽壁駆動機構６０は、カム６１と、カム６１の移動軸７６が係合する回転プレート７３と、回転プレート７３を回転させる駆動モータ７４と、を備えている。
【００５２】
カム６１は、合成樹脂から成る扁平な直方体形状の部材である。図６（Ｂ）に示すように、カム６１の右方端にはピン５５を挿通可能な孔部が形成される回動連結部４８が形成されている。カム６１は、図５（Ａ）に示した支持基体６３の前面を凹状に成形したカム収納部に、スライド可能な状態で収納される。
【００５３】
回転プレート７３は、略舌片形状を呈する板状の部材であり、左方側の端部は駆動モータ７４の回転軸に相対回転不能に接続されている。よって、駆動モータ７４により回転プレート７３は回転される。また、回転プレート７３の右方側には、カム６１の移動軸７６を移動させるための移動軸スライド溝８０が形成されている。移動軸スライド溝８０は弓状に湾曲する形状を呈しており、移動軸スライド溝８０にはカム６１の移動軸７６がスライド可能に係合する。
【００５４】
回動遮蔽壁７１には、回動遮蔽壁７１の基端部から傾斜して突出する回動連結部６８が形成されている。回動連結部６８には、ピン５５を挿通することが可能な孔部が形成されている。回動遮蔽壁７１の側辺の両端部付近には、回動連結部６４が形成されている。回動連結部６４には、ピン６９を挿通することが可能な孔部が形成されている。
【００５５】
図６（Ｂ）に示すように、移動軸７６は、カム６１の前面から突出する円柱状の突起体である。移動軸７６の直径は、回転プレート７３に形成される移動軸スライド溝８０の幅よりも若干短い程度である。移動軸７６は、移動軸スライド溝８０に、摺動可能に係合する。
【００５６】
図６（Ａ）を再び参照して、カム６１の回動連結部４８の孔部と、回動遮蔽壁７１の回動連結部６８の孔部にピン５５が挿通されることにより、カム６１と回動遮蔽壁７１とはピン５５周りに回動可能に接続される。また、回動遮蔽壁７１の回動連結部６４に挿通されるピン６９を介して、回動遮蔽壁７１は、図５（Ａ）に示した支持基体６３に回動可能に連結される。
【００５７】
係る構成により、図６（Ａ）を参照して、駆動モータ７４により移動軸スライド溝８０を回転させることで、回動遮蔽壁７１の開閉動作を行うことができる。具体的には、駆動モータ７４が回転プレート７３を回転させると、移動軸スライド溝８０に沿って移動軸７６が左右方向に移動し、即ちカム６１が左右方向に移動する。カム６１の移動に伴い、カム６１と回動可能に連結されている回動遮蔽壁７１は、回動連結部６４を回動中心として回動することで開閉する。
【００５８】
ここで、図４（Ｂ）示したように、遮蔽壁駆動機構６０を構成する各部材は、冷気が流通する冷凍室供給風路３１に露出しない。従って、冷気が遮蔽壁駆動機構６０に吹き付けられないので、遮蔽壁駆動機構６０が凍結することを防止することができる。
【００５９】
図７は本発明の実施形態に係る遮蔽装置７０を示す図であり、図７（Ａ）は遮蔽装置７０の回動遮蔽壁７１１等を後方から見て示す図であり、図７（Ｂ）は回転プレートの構成を前方から見て示す図である。
【００６０】
図７（Ａ）を参照して、遮蔽装置７０は、上記した回動遮蔽壁７１として、回動遮蔽壁７１１，７１２，７１３，７１４，７１５を有している。回動遮蔽壁７１１ないし回動遮蔽壁７１５は、図５（Ａ）に示した送風機４７の外縁の接線に対して略平行な長辺を有する長方形形状を呈している。また、回動遮蔽壁７１１ないし回動遮蔽壁７１５は、図５（Ａ）に示した支持基体６３の周縁部に回動可能に取り付けられている。
【００６１】
回動遮蔽壁７１１の半径方向内側端部は、移動軸７６１が形成されたカム６１１に回動可能に接続されている。同様に、回動遮蔽壁７１２の半径方向内側端部は、移動軸７６２が形成されたカム６１２に回動可能に接続されている。回動遮蔽壁７１３の半径方向内側端部は、移動軸７６３が形成されたカム６１３に回動可能に連結されている。また、回動遮蔽壁７１４の半径方向内側端部は、移動軸７６４が形成されたカム６１４に回動可能に連結されている。回動遮蔽壁７１５の半径方向内側端部は、移動軸７６５が形成されたカム６１５に回動可能に連結されている。
【００６２】
カム６１１ないしカム６１５は、夫々、回動遮蔽壁７１１ないし回動遮蔽壁７１５の内側側辺に回動可能に連結されている。これにより、カム６１１ないしカム６１５が外側に配置されることで、回動遮蔽壁７１１ないし回動遮蔽壁７１５は起立状態となる。一方、カム６１２ないしカム６１５が内側に配置されることで、回動遮蔽壁７１２ないし回動遮蔽壁７１５は横臥状態となる。
【００６３】
図７（Ｂ）を参照して、回転プレート７３１の移動軸スライド溝８０１に、カム６１１の移動軸７６１がスライド可能に係合している。回転プレート７３２の移動軸スライド溝８０２に、カム６１２の移動軸７６２がスライド可能に係合している。回転プレート７３３の移動軸スライド溝８０３に、カム６１３の移動軸７６３がスライド可能に係合している。回転プレート７３４の移動軸スライド溝８０４に、カム６１４の移動軸７６４がスライド可能に係合している。回転プレート７３５の移動軸スライド溝８０５に、カム６１５の移動軸７６５がスライド可能に係合している。係る構成により、回転プレート７３１ないし回転プレート７３５を回転させることで、カム６１１ないしカム６１５を所定方向にスライドさせ、回動遮蔽壁７１１ないし回動遮蔽壁７１５を開閉することが出来る。
【００６４】
図８に全閉状態における遮蔽装置７０の構成を示す。図８（Ａ）は全閉状態の遮蔽装置７０を後方から見た図であり、図８（Ｂ）は図８（Ａ）の切断面線Ｂ−Ｂに於ける断面図であり、図８（Ｃ）は全閉状態における回転プレート７３等を前方から見た図であり、図８（Ｄ）は図８（Ｂ）の要所拡大図である。ここで、全閉状態とは、送風機４７の周囲を回動遮蔽壁７１で遮蔽し、これにより図４に示した送風口２７を閉鎖する状態である。また、この全閉状態では、送風機４７は回転しない。
【００６５】
図８（Ａ）を参照して、遮蔽装置７０は、全閉状態では送風機４７から外部への空気の流出を防止する。即ち、全閉状態では、全ての回動遮蔽壁７１が起立状態であり、冷気を供給する風路との連通は遮断され、冷蔵室１５および冷凍室１７には冷気が供給されない。また、図２に示した冷却器４５を除霜する除霜行程でも、遮蔽装置７０が全閉状態となることで、暖気が冷却室２６から冷蔵室１５および冷凍室１７に流入しない。
【００６６】
図８（Ｂ）を参照して、全閉状態では、回動遮蔽壁７１は、支持基体６３の主面に対して略垂直に起立する閉状態となっている。ここでは、遮蔽装置７０が有する全ての回動遮蔽壁７１が閉状態となる。この状態では、回動遮蔽壁７１の後方端部は、図４に示す仕切体６６に当接しているか、仕切体６６の直近に配置されている。このようにすることで、回動遮蔽壁７１で風路を閉鎖する際の気密性を向上することができる。
【００６７】
図８（Ｃ）を参照して、遮蔽装置７０を全閉状態とする際には、先ず、駆動モータ７４を駆動することで回転プレート７３を回転させる。ここでは、回転プレート７３を反時計回りに回転させることで、移動軸７６を移動軸スライド溝８０の内で摺動させ、移動軸スライド溝８０の外側端部に移動軸７６を配置する。この結果、図８（Ｄ）に示すように、カム６１は、半径方向外側に向かって移動する。そして、カム６１と回転可能に連結されている回動遮蔽壁７１は、回動連結部６８近傍を回動中心として回動し、支持基体６３の主面に対して略直角に起立する閉状態となる。
【００６８】
図９に全開状態における遮蔽装置７０の構成を示す。図９（Ａ）は全開状態の遮蔽装置７０を後方から見た図であり、図９（Ｂ）は図９（Ａ）の切断面線Ｃ−Ｃに於ける断面図であり、図９（Ｃ）は全開状態における回転プレート７３等を前方から見た図であり、図９（Ｄ）は図９（Ｂ）の要所拡大図である。ここで、全開状態とは、送風機４７の周囲を回動遮蔽壁７１で冷気を供給する風路との連通を遮蔽せず、これにより送風機４７で送風される冷気が周囲に広がる状態である。
【００６９】
図９（Ａ）を参照して、遮蔽装置７０は、全開状態では送風機４７から外部への空気の流れを妨げない。即ち、全開状態では、遮蔽装置７０が送風機４７から送風される冷気は、回動遮蔽壁７１に干渉されることなく、冷蔵室１５および冷凍室１７に送風される。図９（Ａ）に示すように、全開状態では、全ての回動遮蔽壁７１は半径方向外側に向かって倒れた横臥状態となっている。
【００７０】
図９（Ｂ）を参照して、全開状態では、全ての回動遮蔽壁７１は、支持基体６３の主面に対して略平行な横臥状態となっている。遮蔽装置７０が有する全ての回動遮蔽壁７１が開状態となることで、送風機４７から送風される風路に回動遮蔽壁７１が存在せず、風路の流路抵抗を小さくし、送風機４７の送風量を増大することができる。
【００７１】
図９（Ｃ）を参照して、遮蔽装置７０を全開状態とする際には、駆動モータ７４を駆動することで回転プレート７３を時計回りに回転させ、移動軸７６を移動軸スライド溝８０の内部で摺動させる。これにより、移動軸７６が移動軸スライド溝８０の内側端部に移動する。そのようになると、図９（Ｄ）に示すとおり、カム６１が、半径方向内側に向かって移動する。その結果、カム６１の端部に回動可能に接続されている回動遮蔽壁７１は、回動連結部６８の近傍を回転中心として回動して倒れ、回動遮蔽壁７１の主面が、支持基体６３の主面に対して略平行な状態となる。
【００７２】
図１０から図２３を参照して、上記した構成の遮蔽装置７０を用いて風路を切り替える方法を説明する。
【００７３】
図１０は、下段冷凍室１９のみに冷気を供給する状態を示し、図１０（Ａ）は遮蔽装置７０を後方から見た図であり、図１０（Ｂ）は回転プレート７３１等を前方から見た図である。図１１は、下段冷凍室１９のみに冷気を供給する際の風路の状況を後方から見た図である。図１２は、冷凍室１７のみに冷気を供給する際を示し、図１２（Ａ）は遮蔽装置７０を後方から見た図であり、図１２（Ｂ）は回転プレート７３１等を前方から見た図である。図１３は、冷凍室１７のみに冷気を供給する際の風路の状況を後方から見た図である。図１４は、上段冷凍室１８のみに冷気を供給する状態を示し、図１４（Ａ）は遮蔽装置７０を後方から見た図であり、図１４（Ｂ）は回転プレート７３１等を前方から見た図である。図１５は、上段冷凍室１８のみに冷気を供給する際の風路の状況を後方から見た図である。図１６は、冷気を供給しない状態を示し、図１６（Ａ）は遮蔽装置７０を後方から見た図であり、図１６（Ｂ）は回転プレート７３１等を前方から見た図である。図１７は、冷気を供給しない際の風路の状況を後方から見た図である。
【００７４】
図１８は、冷蔵室１５のみに冷気を供給する状態を示し、図１８（Ａ）は遮蔽装置７０を後方から見た図であり、図１８（Ｂ）は回転プレート７３１等を前方から見た図である。図１９は、冷蔵室１５のみに冷気を供給する際の風路の状況を後方から見た図である。図２０は、上段冷凍室１８および冷蔵室１５に冷気を供給する状態を示し、図２０（Ａ）は遮蔽装置７０を後方から見た図であり、図２０（Ｂ）は回転プレート７３１等を前方から見た図である。図２１は、上段冷凍室１８および冷蔵室１５に冷気を供給する際の風路の状況を後方から見た図である。図２２は、冷凍室１７全体および冷蔵室１５に冷気を供給する状態を示し、図２２（Ａ）は遮蔽装置７０を後方から見た図であり、図２２（Ｂ）は回転プレート７３１等を前方から見た図である。図２３は、冷凍室１７全体および冷蔵室１５に冷気を供給する際の風路を後方から見た図である。
【００７５】
以下の各図に於いては、遮蔽装置７０を後方から見た時計回りの方向を「順方向」と称し、反時計回りの方向を「逆方向」と称する。更に、以下の説明では、送風機４７の半径方向および円周方向を、単に、半径方向および円周方向と称する。
【００７６】
図１０および図１１に、下段冷凍室１９に冷気を供給する状態を示す。図１０（Ａ）は  この状態に於ける遮蔽装置７０を後方から見た図であり、図１０（Ｂ）はこの状態に於ける回転プレート７３１等を前方から見た図であり、図１１にはこの状態に於ける風路の状況を後方から見た図である。
【００７７】
図１０（Ａ）を参照して、下段冷凍室１９のみに冷気を供給する状況では、回動遮蔽壁７１１、回動遮蔽壁７１２および回動遮蔽壁７１５は閉状態であり、回動遮蔽壁７１３および回動遮蔽壁７１４は開状態である。係る開閉状態とすることで、送風機４７で下段冷凍室１９のみに冷気を送風することができる。
【００７８】
図１０（Ｂ）を参照して、駆動モータ７４１が回転プレート７３１を逆方向に回転させることで、回転プレート７３１の移動軸スライド溝８０１の半径方向外側端部に移動軸７６１が配置される。駆動モータ７４２が回転プレート７３２を逆方向に回転させることで、回転プレート７３２の移動軸スライド溝８０２の半径方向外側端部に移動軸７６２が配置される。駆動モータ７４３が回転プレート７３３を順方向に回転させることで、回転プレート７３３の移動軸スライド溝８０３の半径方向内側端部に移動軸７６３が配置される。駆動モータ７４４が回転プレート７３４を順方向に回転させることで、回転プレート７３４の移動軸スライド溝８０４の半径方向内側端部に移動軸７６４が配置される。駆動モータ７４５が回転プレート７３５を逆方向に回転させることで、回転プレート７３５の移動軸スライド溝８０５の半径方向外側端部に移動軸７６５が配置される。
【００７９】
移動軸７６１と共にカム６１１が半径方向外側に配置されることで、回動遮蔽壁７１１は閉状態となる。移動軸７６２と共にカム６１２が半径方向外側に配置されることで、回動遮蔽壁７１２は閉状態となる。移動軸７６３と共にカム６１３が半径方向内側に配置されることで、回動遮蔽壁７１３は開状態となる。移動軸７６４と共にカム６１４が半径方向内側に配置されることで、回動遮蔽壁７１４は開状態となる。移動軸７６５と共にカム６１５が半径方向外側に配置されることで、回動遮蔽壁７１５は閉状態となる。
【００８０】
図１１を参照して、遮蔽装置７０が図１０に示した状態となると、回動遮蔽壁７１３，７１４が開状態となるので、冷気は下段冷凍室供給風路５３に送風される。下段冷凍室供給風路５３に流れた冷気は、吹出口３４を経由して、図２に示す下段冷凍室１９に吹き出される。一方、回動遮蔽壁７１１，７１２，７１５が閉状態であることで、図２に示す冷蔵室１５および上段冷凍室１８には冷気が送風されない。
【００８１】
図１２および図１３に、冷凍室１７のみに冷気を供給する状態を示す。図１２（Ａ）はこの状態に於ける遮蔽装置７０を後方から見た図であり、図１２（Ｂ）はこの状態に於ける回転プレート７３１等を前方から見た図であり、図１３にはこの状態に於ける風路の状況を後方から見た図である。
【００８２】
図１２（Ａ）を参照して、冷凍室１７のみに冷気を供給する状況では、回動遮蔽壁７１１は閉状態であり、回動遮蔽壁７１２，７１３，７１４，７１５は開状態である。係る開閉状態とすることで、送風機４７で図２に示す冷凍室１７に冷気を送風することができる。
【００８３】
図１２（Ｂ）を参照して、駆動モータ７４１が回転プレート７３１を逆方向に回転させることで、回転プレート７３１の移動軸スライド溝８０１の半径方向外側端部に移動軸７６１が配置される。駆動モータ７４２が回転プレート７３２を順方向に回転させることで、回転プレート７３２の移動軸スライド溝８０２の半径方向内側端部に移動軸７６２が配置される。駆動モータ７４３が回転プレート７３３を順方向に回転させることで、回転プレート７３３の移動軸スライド溝８０３の半径方向内側端部に移動軸７６３が配置される。駆動モータ７４４が回転プレート７３４を順方向に回転させることで、回転プレート７３４の移動軸スライド溝８０４の半径方向内側端部に移動軸７６４が配置される。駆動モータ７４５が回転プレート７３５を順方向に回転させることで、回転プレート７３５の移動軸スライド溝８０５の半径方向内側端部に移動軸７６５が配置される。
【００８４】
移動軸７６１と共にカム６１１が半径方向外側に配置されることで、回動遮蔽壁７１１は閉状態となる。移動軸７６２と共にカム６１２が半径方向内側に配置されることで、回動遮蔽壁７１２は開状態となる。移動軸７６３と共にカム６１３が半径方向内側に配置されることで、回動遮蔽壁７１３は開状態となる。移動軸７６４と共にカム６１４が半径方向内側に配置されることで、回動遮蔽壁７１４は開状態となる。移動軸７６５と共にカム６１５が半径方向内側に配置されることで、回動遮蔽壁７１５は開状態となる。
【００８５】
図１３を参照して、遮蔽装置７０が図１２に示した状態となると、回動遮蔽壁７１２，７１５が開状態となることで、冷気は上段冷凍室供給風路５２に送風され、吹出口３４を介して図２に示す上段冷凍室１８に吹き出される。また、回動遮蔽壁７１３，７１４が開状態となることで、冷気は下段冷凍室供給風路５３に送風され、吹出口３４を経由して図２に示す下段冷凍室１９に吹き出される。一方、回動遮蔽壁７１１は閉状態であることで、冷蔵室１５には冷気が送風されない。
【００８６】
図１４および図１５に、上段冷凍室１８のみに冷気を供給する状態を示す。図１４（Ａ）はこの状態に於ける遮蔽装置７０を後方から見た図であり、図１４（Ｂ）はこの状態に於ける回転プレート７３１等を前方から見た図であり、図１５にはこの状態に於ける風路の状況を後方から見た図である。
【００８７】
図１４（Ａ）を参照して、図２に示す上段冷凍室１８のみに冷気を供給する状況では、回動遮蔽壁７１１，７１３，７１４は閉状態であり、回動遮蔽壁７１２，７１５は開状態である。係る開閉状態とすることで、送風機４７で上段冷凍室１８のみに冷気を送風することができる。
【００８８】
図１４（Ｂ）を参照して、駆動モータ７４１が回転プレート７３１を逆方向に回転させることで、回転プレート７３１の移動軸スライド溝８０１の半径方向外側端部に移動軸７６１が配置される。駆動モータ７４２が回転プレート７３２を順方向に回転させることで、回転プレート７３２の移動軸スライド溝８０２の半径方向内側端部に移動軸７６２が配置される。駆動モータ７４３が回転プレート７３３を逆方向に回転させることで、回転プレート７３３の移動軸スライド溝８０３の半径方向外側端部に移動軸７６３が配置される。駆動モータ７４４が回転プレート７３４を逆方向に回転させることで、回転プレート７３４の移動軸スライド溝８０４の半径方向外側端部に移動軸７６４が配置される。駆動モータ７４５が回転プレート７３５を順方向に回転させることで、回転プレート７３５の移動軸スライド溝８０５の半径方向内側端部に移動軸７６５が配置される。
【００８９】
移動軸７６１と共にカム６１１が半径方向外側に配置されることで、回動遮蔽壁７１１は閉状態となる。移動軸７６２と共にカム６１２が半径方向内側に配置されることで、回動遮蔽壁７１２は開状態となる。移動軸７６３と共にカム６１３が半径方向外側に配置されることで、回動遮蔽壁７１３は閉状態となる。移動軸７６４と共にカム６１４が半径方向外側に配置されることで、回動遮蔽壁７１４は閉状態となる。移動軸７６５と共にカム６１５が半径方向内側に配置されることで、回動遮蔽壁７１５は開状態となる。
【００９０】
図１５を参照して、遮蔽装置７０が図１４に示した状態となると、回動遮蔽壁７１２，７１５が開状態となることで、冷気は上段冷凍室供給風路５２に送風され、吹出口３４を介して、上段冷凍室１８に吹き出される。
【００９１】
一方、回動遮蔽壁７１１は閉状態であるので、冷蔵室１５には冷気が送風されない。また、回動遮蔽壁７１３，７１４も閉状態であるので、下段冷凍室１９には冷気が送風されない。
【００９２】
図１６および図１７に、遮蔽装置７０が、全ての風路を閉鎖する全閉状態を示す。図１６（Ａ）はこの状態に於ける遮蔽装置７０を後方から見た図であり、図１６（Ｂ）はこの状態に於ける回転プレート７３１等を前方から見た図であり、図１７にはこの状態に於ける風路の状況を後方から見た図である。  
【００９３】
図１６（Ａ）を参照して、全閉状態では、回動遮蔽壁７１１ないし回動遮蔽壁７１５は閉状態である。係る状態とすることで、各風路に空気が流れることを防止することができる。
【００９４】
図１６（Ｂ）を参照して、駆動モータ７４１が回転プレート７３１を逆方向に回転させることで、回転プレート７３１の移動軸スライド溝８０１の半径方向外側端部に移動軸７６１が配置される。駆動モータ７４２が回転プレート７３２を逆方向に回転させることで、回転プレート７３２の移動軸スライド溝８０２の半径方向外側端部に移動軸７６２が配置される。駆動モータ７４３が回転プレート７３３を逆方向に回転させることで、回転プレート７３３の移動軸スライド溝８０３の半径方向外側端部に移動軸７６３が配置される。駆動モータ７４４が回転プレート７３４を逆方向に回転させることで、回転プレート７３４の移動軸スライド溝８０４の半径方向外側端部に移動軸７６４が配置される。駆動モータ７４５が回転プレート７３５を逆方向に回転させることで、回転プレート７３５の移動軸スライド溝８０５の半径方向外側端部に移動軸７６５が配置される。
【００９５】
移動軸７６１と共にカム６１１が半径方向外側に配置されることで、回動遮蔽壁７１１は閉状態となる。移動軸７６２と共にカム６１２が半径方向外側に配置されることで、回動遮蔽壁７１２は閉状態となる。移動軸７６３と共にカム６１３が半径方向外側に配置されることで、回動遮蔽壁７１３は閉状態となる。移動軸７６４と共にカム６１４が半径方向外側に配置されることで、回動遮蔽壁７１４は閉状態となる。移動軸７６５と共にカム６１５が半径方向外側に配置されることで、回動遮蔽壁７１５は閉状態となる。
【００９６】
図１７を参照して、遮蔽装置７０が図１６に示した状態となると、回動遮蔽壁７１１〜７１５は閉状態となり、全ての貯蔵室には空気が供給されない。換言すると、冷却室２６と各風路とを、回動遮蔽壁７１で遮蔽することができる。よって、除霜行程で冷却室２６の内部を温めた際に、冷却室２６の内部の暖気が各風路を経由して各貯蔵室に漏れ出すことを防止することができる。
【００９７】
図１８および図１９に、冷蔵室１５のみに冷気を供給する状態を示す。図１８（Ａ）はこの状態に於ける遮蔽装置７０を後方から見た図であり、図１８（Ｂ）はこの状態に於ける回転プレート７３１等を前方から見た図であり、図１９にはこの状態に於ける風路の状況を後方から見た図である。
【００９８】
図１８（Ａ）を参照して、冷蔵室１５のみに冷気を供給する状況では、回動遮蔽壁７１１は開状態であり、回動遮蔽壁７１２ないし回動遮蔽壁７１５は閉状態である。係る開閉状態とすることで、後述するように、送風機４７で冷蔵室１５のみに冷気を送風することができる。
【００９９】
図１８（Ｂ）を参照して、駆動モータ７４１が回転プレート７３１を順方向に回転させることで、回転プレート７３１の移動軸スライド溝８０１の半径方向内側端部に移動軸７６１が配置される。駆動モータ７４２が回転プレート７３２を逆方向に回転させることで、回転プレート７３２の移動軸スライド溝８０２の半径方向外側端部に移動軸７６２が配置される。駆動モータ７４３が回転プレート７３３を逆方向に回転させることで、回転プレート７３３の移動軸スライド溝８０３の半径方向外側端部に移動軸７６３が配置される。駆動モータ７４４が回転プレート７３４を逆方向に回転させることで、回転プレート７３４の移動軸スライド溝８０４の半径方向外側端部に移動軸７６４が配置される。駆動モータ７４５が回転プレート７３５を逆方向に回転させることで、回転プレート７３５の移動軸スライド溝８０５の半径方向外側端部に移動軸７６５が配置される。
【０１００】
移動軸７６１と共にカム６１１が半径方向内側に配置されることで、回動遮蔽壁７１１は開状態となる。移動軸７６２と共にカム６１２が半径方向外側に配置されることで、回動遮蔽壁７１２は閉状態となる。移動軸７６３と共にカム６１３が半径方向外側に配置されることで、回動遮蔽壁７１３は閉状態となる。移動軸７６４と共にカム６１４が半径方向外側に配置されることで、回動遮蔽壁７１４は閉状態となる。移動軸７６５と共にカム６１５が半径方向外側に配置されることで、回動遮蔽壁７１５は閉状態となる。
【０１０１】
図１９を参照して、遮蔽装置７０が図１８に示した状態となると、回動遮蔽壁７１１が開状態となることで、冷気は冷蔵室供給風路５１に送風され、冷蔵室供給風路２９を介して冷蔵室１５に吹き出される。また、冷蔵室１５に送風された冷気の一部を、野菜室２０に送風することもできる。一方、回動遮蔽壁７１２〜７１５が閉状態であることで、冷凍室１７には冷気が吹き出されない。
【０１０２】
図２０および図２１に、遮蔽装置７０が、冷蔵室１５および上段冷凍室１８に冷気を供給する状態を示す。図２０（Ａ）はこの状態に於ける遮蔽装置７０を後方から見た図であり、図２０（Ｂ）はこの状態に於ける回転プレート７３１等を前方から見た図であり、図２１にはこの状態に於ける風路の状況を後方から見た図である。
【０１０３】
図２０（Ａ）を参照して、図２に示す冷蔵室１５および上段冷凍室１８に冷気を供給する状況では、回動遮蔽壁７１１，７１２，７１５は開状態であり、回動遮蔽壁７１３、７１４は閉状態である。係る開閉状態とすることで、送風機４７で冷蔵室１５および上段冷凍室１８に冷気を送風することができる。
【０１０４】
図２０（Ｂ）を参照して、駆動モータ７４１が回転プレート７３１を順方向に回転させることで、回転プレート７３１の移動軸スライド溝８０１の半径方向内側端部に移動軸７６１が配置される。駆動モータ７４２が回転プレート７３２を順方向に回転させることで、回転プレート７３２の移動軸スライド溝８０２の半径方向内側端部に移動軸７６２が配置される。駆動モータ７４３が回転プレート７３３を逆方向に回転させることで、回転プレート７３３の移動軸スライド溝８０３の半径方向外側端部に移動軸７６３が配置される。駆動モータ７４４が回転プレート７３４を逆方向に回転させることで、回転プレート７３４の移動軸スライド溝８０４の半径方向外側端部に移動軸７６４が配置される。駆動モータ７４５が回転プレート７３５を順方向に回転させることで、回転プレート７３５の移動軸スライド溝８０５の半径方向内側端部に移動軸７６５が配置される。
【０１０５】
移動軸７６１と共にカム６１１が半径方向内側に配置されることで、回動遮蔽壁７１１は開状態となる。移動軸７６２と共にカム６１２が半径方向内側に配置されることで、回動遮蔽壁７１２は開状態となる。移動軸７６３と共にカム６１３が半径方向外側に配置されることで、回動遮蔽壁７１３は閉状態となる。移動軸７６４と共にカム６１４が半径方向外側に配置されることで、回動遮蔽壁７１４は閉状態となる。移動軸７６５と共にカム６１５が半径方向内側に配置されることで、回動遮蔽壁７１５は開状態となる。
【０１０６】
図２１を参照して、遮蔽装置７０が図２０に示した状態となると、回動遮蔽壁７１１が開状態となることで、冷気は冷蔵室供給風路２９を介して冷蔵室１５に送風される。また、回動遮蔽壁７１２，７１５が開状態となることで、冷気は上段冷凍室供給風路５２に送風され、吹出口３４を経由して上段冷凍室１８に吹き出される。一方、回動遮蔽壁７１３〜７１４は閉状態であるので、下段冷凍室１９には冷気が送風されない。
【０１０７】
図２２および図２３に、冷蔵室１５および冷凍室１７の両方に冷気を供給する全開状態を示す。図２２（Ａ）はこの状態に於ける遮蔽装置７０を後方から見た図であり、図２２（Ｂ）はこの状態に於ける回転プレート７３１等を前方から見た図であり、図２３にはこの状態に於ける風路の状況を後方から見た図である。
【０１０８】
図２２（Ａ）を参照して、図２に示す冷蔵室１５および冷凍室１７に冷気を供給する状況では、回動遮蔽壁７１１，７１２，７１３，７１４，７１５は開状態である。係る全開状態とすることで、後述するように、送風機４７で冷蔵室１５および冷凍室１７に冷気を送風することができる。
【０１０９】
図２２（Ｂ）を参照して、駆動モータ７４１が回転プレート７３１を順方向に回転させることで、回転プレート７３１の移動軸スライド溝８０１の半径方向内側端部に移動軸７６１が配置される。駆動モータ７４２が回転プレート７３２を順方向に回転させることで、回転プレート７３２の移動軸スライド溝８０２の半径方向内側端部に移動軸７６２が配置される。駆動モータ７４３が回転プレート７３３を順方向に回転させることで、回転プレート７３３の移動軸スライド溝８０３の半径方向内側端部に移動軸７６３が配置される。駆動モータ７４４が回転プレート７３４を順方向に回転させることで、回転プレート７３４の移動軸スライド溝８０４の半径方向内側端部に移動軸７６４が配置される。駆動モータ７４５が回転プレート７３５を順方向に回転させることで、回転プレート７３５の移動軸スライド溝８０５の半径方向内側端部に移動軸７６５が配置される。
【０１１０】
移動軸７６１と共にカム６１１が半径方向内側に配置されることで、回動遮蔽壁７１１は開状態となる。移動軸７６２と共にカム６１２が半径方向内側に配置されることで、回動遮蔽壁７１２は開状態となる。移動軸７６３と共にカム６１３が半径方向内側に配置されることで、回動遮蔽壁７１３は開状態となる。移動軸７６４と共にカム６１４が半径方向内側に配置されることで、回動遮蔽壁７１４は開状態となる。移動軸７６５と共にカム６１５が半径方向内側に配置されることで、回動遮蔽壁７１５は開状態となる。
【０１１１】
図２３を参照して、遮蔽装置７０が図２２に示した状態となると、回動遮蔽壁７１１が開状態となることで、冷気は冷蔵室供給風路５１に送風され、冷蔵室供給風路２９を介して冷気は冷蔵室１５に吹き出される。また、回動遮蔽壁７１２，７１５が開状態となることで、冷気は上段冷凍室供給風路５２に送風され、吹出口３４を経由して上段冷凍室１８に吹き出される。更に、回動遮蔽壁７１３、７１４が開状態となることで、下段冷凍室供給風路５３および吹出口３４を経由して冷気を下段冷凍室１９に供給することができる。
【０１１２】
上記のように、本実施形態に係る遮蔽装置７０は、図１０（Ｂ）に示した駆動モータ７４１ないし駆動モータ７４５により、回転プレート７３１ないし回転プレート７３５を個別に回転させることで、図１０（Ａ）に示した回動遮蔽壁７１１ないし回動遮蔽壁７１５を個別に回動させて開閉することが出来る。よって、回動遮蔽壁７１１ないし回動遮蔽壁７１５の回動動作を自由に制御できることから、図３に示す冷蔵室１５、冷凍室１７および野菜室２０の庫内温度等に応じて、冷気の送風量を精密に制御することができる。
【０１１３】
更に、図３を参照して、遮蔽装置７０が占有する容積を小さくすることができるので、遮蔽装置７０の前方に形成される冷凍室１７の庫内容積を大きくし、より多くの被冷凍物を冷凍室１７に貯蔵することができる。
【０１１４】
図２４から図２６を参照して、他の形態に係る遮蔽装置７０を説明する。これらの図を参照して説明する遮蔽装置７０の構成は、図１ないし図２３を参照して説明した遮蔽装置７０と基本的には同様であり、遮蔽壁駆動機構６０の駆動源としてソレノイド８１を備えている点が異なるので、この点を中心に説明する。
【０１１５】
図２４を参照して、他の形態に係る遮蔽装置７０の構成を説明する。図２４（Ａ）は遮蔽装置７０の分解斜視図であり、図２４（Ｂ）は遮蔽壁駆動機構６０を示す断面図である。
【０１１６】
図２４（Ａ）を参照して、遮蔽装置７０は、後方側から、送風機４７、回動遮蔽壁７１、支持基体６３、遮蔽壁駆動機構６０を有している。ここでは、遮蔽壁駆動機構６０は、各回動遮蔽壁７１に対応して配置されている。遮蔽壁駆動機構６０の構成以外は、図５に示した遮蔽装置７０と同様である。
【０１１７】
図２４（Ｂ）を参照して、遮蔽壁駆動機構６０は、当接部８２が形成されたカム６１と、ソレノイド８１と、を有している。
【０１１８】
カム６１は、一体成型された合成樹脂等からなり、カム６１の上端は、回動遮蔽壁７１と回動可能に連結されている。また、カム６１の下方部分には前方に向かって突出する当接部８２が形成されている。カム６１と回動遮蔽壁７１とが回動可能に連結される構成は、図６（Ａ）に示した通りである。
【０１１９】
ソレノイド８１の下端から下方に向かって可動部８７が形成されている。ソレノイド８１の可動部８７の下端は、カム６１の当接部８２に接続されている。ソレノイド８１か通電されると可動部８７は上方に配置され、ソレノイド８１が通電されないと可動部８７は下方に配置される。
【０１２０】
係る構成の遮蔽壁駆動機構６０により、ソレノイド８１の通電または非通電を制御することで、カム６１を移動させて回動遮蔽壁７１を回動させ、回動遮蔽壁７１を開閉することが出来る。
【０１２１】
図２５に全閉状態における遮蔽装置７０の構成を示す。図２５（Ａ）は全閉状態の遮蔽装置７０を後方から見た図であり、図２５（Ｂ）は図２５（Ａ）の切断面線Ｄ−Ｄに於ける断面図であり、図２５（Ｃ）は全閉状態におけるソレノイド８１等を前方から見た図であり、図２５（Ｄ）は図２５（Ｂ）の要所拡大図である。
【０１２２】
図２５（Ａ）および図２５（Ｂ）を参照して、遮蔽装置７０は、全閉状態では送風機４７から外部への空気の流出を防止する。この全閉状態では、回動遮蔽壁７１は、支持基体６３の主面に対して略垂直に起立する閉状態となっている。ここでは、遮蔽装置７０が有する全ての回動遮蔽壁７１が閉状態となる。
【０１２３】
図２５（Ｃ）を参照して、遮蔽装置７０を全閉状態とする際には、先ず、ソレノイド８１を駆動することで、可動部８７を半径方向外側に移動させる。この結果、図２５（Ｄ）に示すように、当接部８２を介してソレノイド８１の可動部８７と連結されているカム６１は、半径方向外側に向かって移動する。紙面上に於いては、カム６１は上方に向かって移動する。そして、カム６１と回転可能に連結されている回動遮蔽壁７１は、回動連結部６８近傍を回動中心として回動し、支持基体６３の主面に対して略直角に起立する閉状態となる。
【０１２４】
図２６に全開状態における遮蔽装置７０の構成を示す。図２６（Ａ）は全開状態の遮蔽装置７０を後方から見た図であり、図２６（Ｂ）は図２６（Ａ）の切断面線Ｅ−Ｅに於ける断面図であり、図２６（Ｃ）は全開状態におけるソレノイド８１等を前方から見た図であり、図２６（Ｄ）は図２６（Ｂ）の要所拡大図である。
【０１２５】
図２６（Ａ）および図２６（Ｂ）を参照して、遮蔽装置７０は、全開状態では送風機４７から外部への空気の流れを妨げない。また、全開状態では、全ての回動遮蔽壁７１は、支持基体６３の主面に対して略平行な横臥状態となっている。
【０１２６】
図２６（Ｃ）を参照して、遮蔽装置７０を全開状態とする際には、ソレノイド８１を駆動して可動部８７を突出させる。これにより、図２６（Ｄ）に示すとおり、可動部８７が当接部８２を押圧し、カム６１が半径方向内側に向かって移動する。その結果、カム６１の端部に回動可能に接続されている回動遮蔽壁７１は、回動連結部６８の近傍を回転中心として回動して倒れ、回動遮蔽壁７１の主面が、支持基体６３の主面に対して略平行な状態となる。
【０１２７】
上記のように、遮蔽壁駆動機構６０の駆動源としてソレノイド８１を有している場合であっても、遮蔽壁駆動機構６０の駆動源として駆動モータ７４を有している場合と同等の効果を奏することができる。即ち、各回動遮蔽壁７１を個別に開閉制御することができ、風路の開閉制御の自由度を高め、貯蔵庫の庫内温度を精度良く調整することができる。
【０１２８】
図２７を参照して、更なる他の形態に係る遮蔽装置７０の構成を説明する。上記した遮蔽装置７０では、例えば図５（Ａ）に示したように、各々の回動遮蔽壁７１に対して遮蔽壁駆動機構６０が配設されていた。一方、図２７に示す遮蔽装置７０では、回動遮蔽壁７１１ないし回動遮蔽壁７１４の開閉動作を、遮蔽壁駆動機構６０１および遮蔽壁駆動機構６０２で駆動している。即ち、４つの回動遮蔽壁７１１ないし回動遮蔽壁７１４の開閉動作を、２つの遮蔽壁駆動機構６０１および遮蔽壁駆動機構６０２で駆動している。ここで、回動遮蔽壁７１１ないし回動遮蔽壁７１４の内側側辺は、図２６（Ａ）等に示した支持基体６３に対して回動可能に取り付けられている。
【０１２９】
遮蔽壁駆動機構６０１は、巻回部８５１と、駆動モータ７４１と、ワイヤ８６１およびワイヤ８６２を有する。駆動モータ７４１は、略棒状の巻回部８５１を、正転方向または逆転方向に回転させる。ワイヤ８６１の一端は回動遮蔽壁７１１に接続され、他端は巻回部８５１に接続されている。ワイヤ８６２の一端は回動遮蔽壁７１２に接続され、他端は巻回部８５１に接続されている。遮蔽壁駆動機構６０１は、回動遮蔽壁７１１および回動遮蔽壁７１２の開閉動作を駆動している。
【０１３０】
係る構成により、駆動モータ７４１を正転方向に回転させることにより、巻回部８５１が回転することでワイヤ８６１およびワイヤ８６２が巻回され、回動遮蔽壁７１１および回動遮蔽壁７１２が横臥状態から起立状態になり、上記した風路を塞ぐ閉状態になる。一方、駆動モータ７４１を逆転方向に回転させることにより、巻回部８５１が回転することでワイヤ８６１およびワイヤ８６２が繰り出され、回動遮蔽壁７１１および回動遮蔽壁７１２が起立状態から横臥状態になり、上記した風路を解放する開状態になる。
【０１３１】
遮蔽壁駆動機構６０２は、巻回部８５２と、駆動モータ７４２と、ワイヤ８６３およびワイヤ８６４を有する。駆動モータ７４２は、略棒状の巻回部８５２を、正転方向または逆転方向に回転させる。ワイヤ８６３の一端は回動遮蔽壁７１３に接続され、他端は巻回部８５２に接続される。ワイヤ８６４の一端は回動遮蔽壁７１４に接続され、他端は巻回部８５２に接続される。遮蔽壁駆動機構６０２は、回動遮蔽壁７１３および回動遮蔽壁７１４の開閉動作を駆動している。
【０１３２】
係る構成により、駆動モータ７４２を正転方向に回転させることにより、巻回部８５２が回転することでワイヤ８６３およびワイヤ８６４が巻回され、回動遮蔽壁７１３および回動遮蔽壁７１４が横臥状態から起立状態になり、上記した風路を塞ぐ閉状態になる。一方、駆動モータ７４２を逆転方向に回転させることにより、巻回部８５２が回転することでワイヤ８６３およびワイヤ８６４が繰り出され、回動遮蔽壁７１３および回動遮蔽壁７１４が起立状態から横臥状態になり、上記した風路を解放する開状態になる。
【０１３３】
上記のように、遮蔽壁駆動機構６０１および遮蔽壁駆動機構６０２により、回動遮蔽壁７１１ないし回動遮蔽壁７１４の開閉動作を個別に駆動することで、回動遮蔽壁７１１ないし回動遮蔽壁７１４の開閉動作の自由度を確保しつつ、遮蔽装置７０の構成を簡素化することかできる。
【０１３４】
本発明は、上記実施形態に限定されるものではなく、その他、本発明の要旨を逸脱しない範囲で、種々の変更実施が可能である。
【０１３５】
例えは、図６（Ａ）を参照して、移動軸スライド溝８０の中間部に移動軸７６を配置することで、回動遮蔽壁７１を半開状態とすることができる。このようにすることで、貯蔵室に送風される冷気の風量を細かく制御することができる。
【符号の説明】
【０１３６】
１０   冷蔵庫
１１   断熱箱体
１２   外箱
１３   内箱
１４   断熱材
１５   冷蔵室
１７   冷凍室
１８   上段冷凍室
１９   下段冷凍室
２０   野菜室
２１   断熱扉
２３   断熱扉
２４   断熱扉
２５   断熱扉
２６   冷却室
２７   送風口
２８   戻り口
２９   冷蔵室供給風路
３１   冷凍室供給風路
３３   吹出口
３４   吹出口
３７   野菜室帰還風路
３８   戻り口
３９   戻り口
４２   断熱仕切壁
４３   断熱仕切壁
４４   圧縮機
４５   冷却器
４６   除霜ヒータ
４７   送風機
４８   回動連結部
５０   風路区画壁
５１   冷蔵室供給風路
５２   上段冷凍室供給風路
５３   下段冷凍室供給風路
５５   ピン
５６   風路区画壁
５８   側壁部
５９   開口部位
６０、６０１、６０２ 遮蔽壁駆動機構
６１、６１１、６１２、６１３、６１４、６１５     カム
６３   支持基体
６４   回動連結部
６５   仕切体
６６   仕切体
６７   前面カバー
６８   回動連結部
６９   ピン
７０   遮蔽装置
７１、７１１、７１２、７１３、７１４、７１５     回動遮蔽壁
７３、７３１、７３２、７３３、７３４、７３５     回転プレート
７４、７４１、７４２、７４３、７４４、７４５     駆動モータ
７６、７６１、７６２、７６３、７６４、７６５     移動軸
８０、８０１、８０２、８０３、８０４、８０５     移動軸スライド溝
８１   ソレノイド
８２   当接部
８５１、８５２巻回部
８６１、８６２、８６３、８６４  ワイヤ
８７   可動部
１００ 冷蔵庫
１０１ 冷蔵室
１０２ 冷凍室
１０３ 野菜室
１０４ 冷却室
１０５ 区画壁
１０６ 開口部
１０７ 送風ファン
１０８ 冷却器
１０９ 風路
１１０ 送風機カバー
１１１ 凹部
１１３ 開口部
１１４ ダンパ
【図１】
2020193731.tif 000003
【図２】
2020193731.tif 000004
【図３】
2020193731.tif 000005
【図４】
2020193731.tif 000006
【図５】
2020193731.tif 000007
【図６】
2020193731.tif 000008
【図７】
2020193731.tif 000009
【図８】
2020193731.tif 000010
【図９】
2020193731.tif 000011
【図１０】
2020193731.tif 000012
【図１１】
2020193731.tif 000013
【図１２】
2020193731.tif 000014
【図１３】
2020193731.tif 000015
【図１４】
2020193731.tif 000016
【図１５】
2020193731.tif 000017
【図１６】
2020193731.tif 000018
【図１７】
2020193731.tif 000019
【図１８】
2020193731.tif 000020
【図１９】
2020193731.tif 000021
【図２０】
2020193731.tif 000022
【図２１】
2020193731.tif 000023
【図２２】
2020193731.tif 000024
【図２３】
2020193731.tif 000025
【図２４】
2020193731.tif 000026
【図２５】
2020193731.tif 000027
【図２６】
2020193731.tif 000028
【図２７】
2020193731.tif 000029
【図２８】
2020193731.tif 000030
【図２９】
2020193731.tif 000031